(57)【要約】【課題】  どのような大きさの創傷部に対しても適宜の大きさで対応することができ、支持体を薄いフィルム基材から簡単に剥がすことができ、しわなどが入ることなく創傷部等を容易に確実に覆うことができ、防水性を有した粘着フィルムドレッシングを提供する。【解決手段】  比較的剛性のある支持体４と防水性を有し柔軟な基材８と剥離紙１０ａ，１０ｂが、積層されてロール状に巻き付けられている。支持体４が基材８より幅広状態に形成され、支持体４の少なくとも一方の側縁が基材８の一側縁に対して露出し、ロール状の側縁部にめくり代１６が形成されている。【選択図】図１
2006061263.tif 000002
【特許請求の範囲】
【請求項１】
比較的剛性のある支持体と防水性を有し柔軟な基材と剥離紙が、積層されてロール状に巻き付けられ、前記支持体の縁が前記基材より幅広状態に形成され、前記支持体の側縁部にめくり代が形成されていることを特徴とする粘着フィルムドレッシング。
【請求項２】
前記支持体の少なくとも一方の側縁が前記基材の一側縁に対して幅方向に露出して形成され、前記めくり代が形成されていることを特徴とする請求項１記載の粘着フィルムドレッシング。
【発明の詳細な説明】
【技術分野】
【０００１】
この発明は、人体や動物の身体の火傷、切傷、裂傷、縫合傷、その他炎症部位等の創傷部や創傷部を被覆したパッド類を覆うように貼着して、水ぬれ等から保護する粘着フィルムドレッシングに関する。
【背景技術】
【０００２】
従来、身体の火傷、切傷、裂傷、縫合傷、その他炎症部位等を含む創傷部を被覆する際に、シャワーや入浴時の水ぬれを防止するために、粘着性を有しかつ酸素と水蒸気に対して高い透過性を有する通気性のフィルムから成るドレッシングや絆創膏が用いられている。また、逆に皮膚からの水蒸気の発散を防ぐ水蒸気非透過性のテープ等が幅広く用いられている。これらの絆創膏等は、身体の部分の形状に完全に追従しなければならず、しかも皮膚に直接貼着されるため、極めて薄いフィルム状もしくは箔状のものが多い。しかしながら、このような薄いフィルムまたは箔状の絆創膏は、その薄さのため、貼着しようとする患部の表面積が大きくなればなるほど施用が非常に困難であった。例えば、これらの絆創膏を表面積が大きい患部に貼着すると、しわが入ったり、カールして粘着剤どうしがくっついてしまうといったことが多かった。
【０００３】
そこで、このような問題点を解決するために、粘着フィルムに剛性の高い支持体のキャリアテープを貼り付けた定尺品（カット品）の絆創膏が知られている。しかし、これらの絆創膏はいずれも大きさが固定された定尺品ないしは定尺品を対象にして改善を加えたものであり、患部の大きさの違いからいろいろな寸法サイズのものを取り揃えておかなければならないなどの問題があった。
【０００４】
これに対して、特許文献１，２に開示されているように、ロール状に形成したフィルム状の医療用粘着テープまたは絆創膏が知られている。特許文献１，２の絆創膏等は、どのような大きさの創傷部に対しても、その場で自由に所望の大きさに切断して使用することができるものである。
【特許文献１】特開２００３−２３５８９０号公報
【特許文献２】特開２０００−２５４１６４号公報
【発明の開示】
【発明が解決しようとする課題】
【０００５】
上記従来の技術の特許文献１，２に開示されるロール状に形成されたフィルム状絆創膏は、剥離紙及び支持体が基材とともに同じ幅でロール状に巻き付けてあるため、創傷部に貼り付けた後、基材から支持体を剥離するには、貼り付けたフィルム表面から、爪等で支持体を剥離する必要がある。しかも、しっかり密着した支持体を剥離するのは作業性が悪く面倒である上、めくる際にフィルムを誤って傷つけてしまう可能性もあった。
【０００６】
また、特許文献２は、剥離用の剥離片フィルムが支持体表面中央部に設けられているが、この場合は、支持体が２分されており、剥離片により２回支持体を剥離しなければならず、支持体に剥離片フィルムを設けることによる工程数やコストアップの原因となっていた。さらに、この構造の場合、ロール状に巻く際に型崩れを起こすことがあり、綺麗にロールが形成されない場合があった。
【０００７】
本発明は、上記従来の技術に鑑みて成されたもので、どのような大きさの創傷部に対しても適宜の大きさで対応することができ、支持体を薄いフィルム基材から簡単に剥がすことができ、しわなどが入ることなく創傷部等を容易に確実に覆うことができ、防水性を有した粘着フィルムドレッシングを提供することを目的とする。
【課題を解決するための手段】
【０００８】
この発明は、比較的剛性のある支持体と防水性を有し柔軟な基材と剥離紙が、積層されてロール状に巻き付けられ、前記支持体の縁が前記基材より幅広状態に形成され、前記支持体の側縁部にめくり代が形成されている粘着フィルムドレッシングである。前記支持体の少なくとも一方の側縁が前記基材の一側縁に対して幅方向に露出して形成され、前記めくり代が形成されているものである。また、前記剥離紙は、その長手方向中央付近に設けたスリットにより、長手方向に分割剥離できるものである。
【発明の効果】
【０００９】
この発明の粘着フィルムドレッシングによれば、どのような大きさの創傷部に対してもロールから適宜の大きさに切り取って対応することができる。また、支持体をフィルム基材から簡単に剥がすことができ、しわなどを入れることなく創傷部を容易に被覆し、確実に水ぬれ等を防止できるものである。また、製造工程において、ロール状に巻回する際も綺麗に巻き取ることができ、ロールの型崩れが無く、安定して巻き取ることができる。
【発明を実施するための最良の形態】
【００１０】
以下、この発明の粘着フィルムドレッシングの一実施形態について、図１、図２を基にして説明する。この実施形態の粘着フィルムドレッシング２は、創傷部の保護または創傷部を被覆した殺菌パッド類を覆うように貼着し、水ぬれや雑菌の侵入から皮膚を保護するために使用するものである。
【００１１】
この実施形態の粘着フィルムドレッシング２は、図２の断面図に示すように、支持体４と粘着剤６を塗布した基材８と、粘着剤６の表面に貼着された剥離紙１０ａ，１０ｂとにより構成されている。また、３層のうち、支持体４のみが他の２層より幅方向に広く形成され、幅方向の一方にめくり代１６が形成されている。さらに、剥離紙１０ａ，１０ｂは、長手方向且つ幅方向の中央近傍に、互いの側縁を付き合わせたスリット部１８が設けられている。
【００１２】
この粘着フィルムドレッシング２は、図１示すように、長尺の粘着フィルムドレッシング２を、紙等により形成され貫通穴１２を備えたロール芯１４に巻き付けて成るものである。
【００１３】
次に、この実施形態の粘着フィルムドレッシング２を形成する各層の材質について説明する。まず、基材８は例えば厚さ１０μｍ〜１２０μｍの半透明な薄い柔軟なポリウレタンフィルムからなり、片面には、アクリル系の粘着剤６が部分的もしくは全面に均一に塗布されている。このポリウレタンフィルムは、通気性等が良好であり好ましい。その他、ポリオレフィン、ポリ塩化ビニル、ポリアミド、エチレン酢酸ビニル共重合体、ポリエステル、ポリビニルアルコール、ポリ塩化ビニリデン等を適宜選択することが出来る。
【００１４】
支持体４を構成するプラスチックフィルムは、ポリオレフィン、ポリアミド、ポリ塩化ビニル、ポリエステル等の材料により形成され、厚さ２０μｍ〜１２０μｍの比較的剛性のある公知の透明または半透明な熱可塑性樹脂により形成されている。支持体４は、幅方向のどちらか一方に縁を揃えて基材８の片面（背面）に再剥離可能に熱圧着される。支持体４と基材８との間の熱圧着部の剥離力は、剥離紙１０ａ，１０ｂと粘着剤６との間の剥離強度よりも大きくなっている。
【００１５】
粘着剤６は、医療用としてカブレや刺激の少ない粘着剤が適宜選択される。このような粘着剤６としては、例えば天然ゴム，水系高分子エマルジョン，熱可塑性ゴム，ポリウレタン，ポリアクリルエステルコポリマー等を主成分とするものが適宜使用可能である。また溶媒としては水系，溶剤系いずれも使用することができるが、水ぬれに強いものがよい。さらに、粘着剤６の粘着力は、被着体（特に人体または動物の皮膚）に対し、１００ｇｆ／５０ｍｍ〜５０００ｇｆ／５０ｍｍであることが好ましい。この理由は、１００ｇｆ／５０ｍｍ未満では粘着力が弱すぎ、皮膚の発汗や動き等によって容易に剥離してしまうおそれがあるからであり、５０００ｇｆ／５０ｍｍを越えると粘着力が強すぎ、誤着や取り替え時の剥離においてかえって皮膚を痛めてしまうおそれがあるからである。
【００１６】
剥離紙１０ａ，１０ｂは、通常医療用絆創膏の剥離紙として用いられるものであり、シリコーン処理されたクラフト紙により形成されている。その他、例えば、グラシン紙、シリコーン処理されたポリエチレンをラミネートしたクラフト紙、シリコーン処理されたポリエチレンテレフタレート（ＰＥＴ）フィルム等が適宜用いられる。
【００１７】
また、この剥離紙１０ａ，１０ｂの粘着剤６の層からの剥離力は、略２ｇｆ／５０ｍｍ〜５０ｇ／５０ｍｍ、より好適には略４ｇｆ／５０ｍｍ〜３０ｇ／５０ｍｍであることが好ましい。この理由は、２ｇｆ／５０ｍｍ未満の軽い力で剥離できるような場合は保管や運搬中の衝撃や動きで剥離紙１０ａ，１０ｂが容易に剥がれてしまい、粘着剤層がむき出しになるおそれがあるからであり、また５０ｇｆ／５０ｍｍを越える重い剥離力では、使用にあたって粘着剤層からの剥離に手間取ったりして好ましくないからである。
【００１８】
支持体４は、基材８を構成する箔またはフィルムと再剥離できる程度に熱融着できる材質のものであることが好ましく、基材８との組合せを考慮して適宜選択可能である。例えば、ポリウレタンフィルムを基材８として使用する場合は、基材８との熱圧着性や支持体４のフィルムの硬さや伸びを考慮して、ウレタン基材８の支持体４として好適なポリエステルフィルムや、ポリオレフィンフィルム若しくは紙等が主として用いられる。
【００１９】
さらに、支持体４と基材８との間の剥離強度は５ｇｆ／５０ｍｍ〜７０ｇｆ／５０ｍｍ、剥離紙１０ａ，１０ｂと粘着剤６との間の剥離強度は前述の通り２ｇｆ／５０ｍｍ〜５０ｇｆ／５０ｍｍにそれぞれ設計されることが好ましい。そしてこれらの値はその最大値においても人体等の被着体と粘着剤６との間の剥離力１００ｇｆ／５０ｍｍ〜５０００ｇｆ／５０ｍｍに比べてその１／２を超えないことが好ましい。これは、例えば発汗等においても、支持体４の剥離に際して、被着体から基材８を引き剥すことがないようにするためである。また支持体４と基材８の剥離強度を、剥離紙１０ａ，１０ｂと粘着剤６との間の剥離強度よりも大きくする理由は、剥離紙１０ａ，１０ｂの剥離時に基材８から支持体４が先に剥離することがないようにしたものである。
【００２０】
次に、この実施形態の粘着フィルムドレッシング２の使用方法について説明する。創傷部を覆うパッド類を被覆するために貼着する場合は、まず、ロール状に巻いた粘着フィルムドレッシング２を、創傷部や創傷部を覆うパッド類より大きくなるように、粘着フィルムドレッシング２をハサミなどで切断する。そして、スリット部１８により分割剥離された剥離紙１０ａ，１０ｂの一方を剥離する。例えば、剥離紙１０ａを剥がし、その粘着フィルムドレッシング２を、創傷部のパッド類を被覆するように皮膚に貼着する。次に、残っている剥離紙１０ｂを剥離し、パッド及びその周辺の皮膚に粘着フィルムドレッシング２を密着させる。最後に、支持体４のめくり代１６から支持体４を基材８から剥離するようにめくり、粘着フィルムドレッシング２の貼着が完了する。
【００２１】
この実施形態の粘着フィルムドレッシング２によれば、どのような大きさの創傷部に対しても１種類のロール状の粘着フィルムドレッシング２で対応することができる。また、自由に所望の大きさに切断することができるため経済的である。さらに、貼着後めくり代１６により容易に、支持体４を基材８から剥離することができ使いやすく、支持体は、分割されていないため、一度で綺麗に剥離し、手間がかからない。
【００２２】
尚、支持体のめくり代は少なくとも一方の側縁部に形成されていれば良く、両方の側縁部にあっても良い。さらに、支持体は透明であっても不透明であっても良く、着色されていても着色されていなくても良いが、傷等の患部を見ながら貼着される場合などでは透明もしくは着色透明の粘着テープであることが好ましい。また、格子状のマス目や絵柄などが印刷されていても良い。そのほか、ロール芯の芯材は、ロール状の形を崩さないものであれば、材質は適宜選択可能である。
【図面の簡単な説明】
【００２３】
【図１】この発明の一実施形態のロール状に券回した粘着フィルムドレッシングを示す概略斜視図である。
【図２】この実施形態の粘着フィルムドレッシングの構造を示す幅方向の縦断面図である。
【符号の説明】
【００２４】
２  粘着フィルムドレッシング
４  支持体
８  基材
１０ａ，１０ｂ  剥離紙
１４  ロール芯
１６  めくり代
【図１】
2006061263.tif 000003
【図２】
2006061263.tif 000004